(57)【特許請求の範囲】
【請求項１】
複数のコンピュータ端末から映像信号を入力して、各コンピュータ端末専用のディスプレイ用の映像信号と大画面表示装置用の映像信号とに分配して出力する複数の分配器と、
これらの分配器が出力する大画面表示装置用の映像信号を入力して、この映像信号に基づく水平位置を調整する水平位置調整手段、及び、複数の入力映像信号のうち所望の映像信号を任意の大画面表示装置に出力する出力切替手段とを備える切替器と、
上記出力切替手段を制御して所望のコンピュータ端末からの映像信号を任意の大画面表示装置へ出力させる切替制御手段、及び、大画面表示装置において適正な表示を行うために事前設定した表示情報を、当該大画面表示装置に対して指定する表示情報出力手段とを備える制御器と、
事前に設定され登録された表示情報を使用して、上記切替器から入力される映像信号に基づいて所定の映像表示を行う大画面表示装置と
を具備することを特徴とする映像切替システム。
【請求項２】
上記請求項１に記載の映像切替システムにおいて、
上記切替器の水平位置調整手段は、上記分配器から出力される映像信号に基づいて同期信号タイミングを可変調整することにより手動で水平位置補正が可能であることを特徴とする映像切替システム。
【請求項３】
上記請求項１または請求項２のいずれかに記載の映像切替システムにおいて、
上記制御器の切換制御手段と表示情報出力手段とは制御コンピュータ端末とマルチプレクサとによって構成され、この制御コンピュータ端末から上記映像信号を切替出力するための制御信号と大画面表示装置において使用する表示情報とを出力するとともに、これらの信号の出力タイミングをマルチプレクサによって制御することを特徴とする映像切替システム。
【請求項４】
上記請求項１〜請求項３のいずれかに記載の映像切替システムにおいて、
上記大画面表示装置は、所定容量のメモリに上記事前設定した表示情報を格納可能であって、上記制御器から表示情報を指定することを特徴とする映像切替システム。
【発明の詳細な説明】
【０００１】
【発明の属する技術分野】
本発明は、各種映像を大画面表示装置に適切な状態で表示するための調整を行う映像切替システムに関する。
【０００２】
【従来の技術】
本出願人は、この種の映像切替システムとして図３に示すようなものを提案している。
同図に示す映像切替システム９０１は、主に、入力装置部９０２と、切替部９０３と、大画面表示装置部９０４と、制御部９０５とから構成されている。大画面表示装置部９０４は、切替部９０３から出力される映像信号を入力して表示する複数の大画面表示装置を備えている。制御部９０５は、切替部９０３および大画面表示装置を遠隔制御するための端末と、端末からの制御信号を入力して指定の切替部９０３および各大画面表示装置へ制御信号を出力するマルチプレクサとを備えている。
【０００３】
入力装置部９０２は、パソコンやワークステーション等の複数の端末本体と、表示装置としてのディスプレイとを備え、端末本体から出力される映像信号を入力してこの表示装置と外部の切替部９０３とに出力する分配器とを備えている。さらに、この分配器においては映像信号中の同期信号タイミングを可変調整することにより手動で水平／垂直位置補正が可能である。また、入力装置部９０２は、端末本体の数量が各大画面表示装置の表示情報の登録数より多い場合にも大画面表示装置の表示情報の登録数内でシステムを構築できるように、品名および型名が同一である端末本体毎に入力装置部内をグループ化してある。
【０００４】
図４は入力装置部９０２に備える分配器の要部構成である。
同図に示す分配器は、複数の分配回路と、増幅回路と、水平位置調整回路と、垂直位置調整回路とを備えている。この分配器にはＲＧＢの色信号と水平同期信号Ｈおよび垂直同期信号Ｖが入力されるようになっており、これらの信号は分配回路で二経路に分配された後それぞれ増幅され上述のディスプレイと切替部９０３とに出力される。ここで、水平同期信号と垂直同期信号とは切替部９０３に対して出力される前に水平位置調整回路および垂直位置調整回路に入力されており、手動で各々の調整を行うことが可能になっている。
【０００５】
ここで、この映像切替システム９０１では、制御部９０５からの制御に従い、入力装置部９０２からの各種映像信号を切替部９０３により切り替えて大画面表示装置部９０４に出力する。大画面表示装置部９０４では、大画面表示装置に適切な状態で表示するため、予め大画面表示装置において、各端末本体毎の映像信号に対応した固有の表示情報を事前設定し、各々メモリに登録する。
分配器では、大画面表示装置の表示情報の登録数内で事前設定するため、水平／垂直位置補正を手動で行う。制御部９０５では、切替部９０３に対する各種映像の切替情報を出力すると共に、大画面表示装置に対する事前設定した表示情報を指定することにより、各種映像を大画面表示装置に適切な状態で表示している。
【０００６】
【発明が解決しようとする課題】
上述した前者の映像切替システムにおいては表示情報の事前設定において品名および型名が同一のものはグループ化されるが、たとえ各端末本体が同じ品名および型名であっても製品の個体差および大画面表示装置までの映像信号ケーブル長の差が存在する。従って、これらは各々別の調整を行わなければ適正な画面表示を行うことができない。
【０００７】
また、端末本体の数量が大画面表示装置のメモリ登録数より多い場合は、分配器の位置調整機能により上記メモリ登録数の不足分を補うこととなる。この位置調整機能は、各分配器毎に具備することになり、装置構成規模が大きくなってしまう。
【０００８】
本発明は上記課題にかんがみてなされたもので、簡易な構成によって実現可能であり汎用性の高い部品によって構成可能な映像切替システムを提供することを目的とする。
【０００９】
【課題を解決するための手段】
上記目的を達成するため、請求項１に記載の発明は、複数のコンピュータ端末から映像信号を入力して各コンピュータ端末専用のディスプレイ用の映像信号と大画面表示装置用の映像信号とに分配して出力する複数の分配器と、これらの分配器が出力する大画面表示装置用の映像信号を入力してこの映像信号に基づく水平位置を調整する水平位置調整手段、及び、複数の入力映像信号のうち所望の映像信号を任意の大画面表示装置に出力する出力切替手段とを備える切替器と、上記出力切替手段を制御して所望のコンピュータ端末からの映像信号を任意の大画面表示装置へ出力させる切替制御手段、及び、大画面表示装置において適正な表示を行うために事前設定した表示情報を当該大画面表示装置に対して指定する表示情報出力手段とを備える制御器と、事前に設定され登録された表示情報を使用して、上記切替器から入力される映像信号に基づいて所定の映像表示を行う大画面表示装置とを具備する構成としてある。
【００１０】
すなわち、この映像切替システムは、分配器と切替器と制御器と大画面表示装置とからなり、複数のコンピュータ端末から出力される映像信号に基づいて大画面表示装置に所定の映像を表示させる。このために、分配器は複数のコンピュータ端末から映像信号を入力し、各コンピュータ端末専用のディスプレイ用の映像信号と大画面表示装置用の映像信号とに分配して出力する。通常コンピュータ端末にはそれぞれに専用のディスプレイがセットになっているので、この分配器の映像信号出力の一方を当該専用のディスプレイに入力して所定の映像を表示させる。さらに、分配器の映像出力の他方を大画面表示装置にて使用することにより当該大画面表示装置での映像表示を可能にする。
【００１１】
切替器は水平位置調整手段と出力切替手段とを具備しており、水平位置調整手段では上述の分配器が出力する大画面表示装置用の映像信号を入力してこの映像信号に基づく水平位置を調整する。出力切替手段では複数の入力映像信号のうち所望の映像信号を任意の大画面表示装置に出力する。すなわち、表示映像の位置調整においては、上述のように水平方向のずれが大きく垂直方向のずれはほとんど無視できる。従って、垂直位置調整機能を持たずに水平調整機能のみを持つようにする。
しかも、水平調整機能は各分配器にて行うのではなく切替器によって行うので複数の映像信号に水平位置調整が可能な水平位置調整手段を切替器に一つ設けておけば十分であり非常に構成が簡単になる。また、上述の分配器においても単に信号を分配できればよいので、市販されているような安価で汎用的な分配器を採用することができる。
【００１２】
制御器は、切替制御手段と表示情報出力手段とを具備しており、切替制御手段は出力切替手段を制御して所望のコンピュータ端末からの映像信号を任意の大画面表示装置へ出力させる。また、表示情報出力手段は大画面表示装置において適正な表示を行うために事前設定した表示情報を当該大画面表示装置に対して指定する。すなわち、上述の切替器は信号の切り替えが可能に構成されているので、切替制御手段によってこの切替器を制御、すなわち、遠隔的に操作して利用者所望のコンピュータ端末からの出力をさせる。
【００１３】
そして、大画面表示装置は事前に設定され登録された表示情報を使用して、上記切替器から入力される映像信号に基づいて所定の映像表示を行うようになっている。ここで、表示情報はコンピュータ端末の品名や型名、製品の個体差および大画面表示装置までの映像信号ケーブル長の違いに応じて適正な表示を行わせるために設定されるものである。従って、大画面表示装置はこの表示情報を使用することにより入力する映像信号に基づいて適正な表示を行うことができる。
【００１４】
ここで、切替器の水平位置調整手段は出力映像の水平位置を調整することができればよく、そのための構成の一例として、請求項２に記載の発明は、請求項１に記載の映像切替システムにおいて、切替器の水平位置調整手段は、上記分配器から出力される映像信号に基づいて同期信号タイミングを可変調整することにより手動で水平位置補正が可能である構成としてある。
【００１５】
また、制御器においては、切替器における入出力信号の切り替えと表示情報とを行うことが可能であればよく、その構成の一例として、請求項３に記載の発明においては、請求項１または請求項２のいずれかに記載の映像切替システムにおいて、上記制御器の切換制御手段と表示情報出力手段とは制御コンピュータ端末とマルチプレクサとによって構成され、この制御コンピュータ端末から上記映像信号を切替出力するための制御信号と大画面表示装置において使用する表示情報とを指定するとともに、これらの信号の出力タイミングをマルチプレクサによって制御する構成としてある。
【００１６】
すなわち、切替器において信号の入出力を制御するのは制御信号であり、大画面表示装置において表示情報を使用させるためには表示情報を出力する必要がある。これらの出力を行うのが制御コンピュータ端末であって、これらの出力に対してマルチプレクサを介装させることによって信号出力のタイミングを制御することができる。
【００１７】
さらに、大画面表示装置においては、表示情報を使用して適正な画面表示を行うが、そのための構成の一例として、請求項４に記載の発明は、請求項１〜請求項３のいずれかに記載の映像切替システムにおいて、上記大画面表示装置は、所定容量のメモリに上記事前設定した表示情報を格納可能であり、上記制御器から表示情報を取得する構成としてある。
【００１８】
すなわち、大画面表示装置においては内部に蓄積した表示情報を外部の制御器から指定して使用することが可能になっている。
【００２１】
【発明の実施の形態】
以下、図面にもとづいて本発明の実施形態を説明する。
図１は本発明の実施形態の概略構成を示すブロック図である。
同図において、大画面表示装置への映像切替システム１００は、入力装置部２００と、切替器３００と、大画面表示装置部４００と、制御器５００とを備えている。入力装置部２００は、複数のパソコン又はワークステーション等の端末本体２０１ａ〜２０１ｎと、各端末本体２０１ａ〜２０１ｎから出力される映像信号を入力して二分配出力する分配器２０３ａ〜２０３ｎと、各分配器２０３ａ〜２０３ｎから出力される映像信号を入力して表示するディスプレイ２０２ａ〜２０２ｎとを備えている。
【００２２】
すなわち、各端末本体２０１ａ〜２０１ｎは、それぞれに専用のディスプレイ２０２ａ〜２０２ｎを有しており、分配器２０３ａ〜２０３ｎによって映像信号が供給されて一般の端末のようにディスプレイを眺めながら操作を行う端末として機能する。また、この端末本体２０１ａ〜２０１ｎからの映像信号は、分配器２０３ａ〜２０３ｎによって切替器３００に入力されるようになっている。ここで、分配器２０３ａ〜２０３ｎは単に信号を分岐して二つの出力を得られればよく、一般に市販されている汎用的な分配器を採用することができる。
【００２３】
また、入力装置部２００においては、端末本体２０１ａ〜２０１ｎの数量が各大画面表示装置４０１ａ，ｂの内部メモリに備える表示情報の登録数上限より多い場合、品名および型名が同一である端末本体毎にグループ化してある。すなわち、入力装置部２００内をグループ化することにより、大画面表示装置の表示情報の登録数内でシステムを構築できるよう、端末部Ａ〜Ｇにグループ化している。
【００２４】
分配器２０３ａ〜２０３ｎから出力される映像信号は切替器３００に入力されており、この切替器３００では、後述する制御器５００からの制御信号に基づいて入力した映像信号を切り替えて、任意の大画面表示装置４０１ａ，４０１ｂに出力する。また、切替器３００には水平位置調整回路が備えられており、映像信号中の水平同期信号Ｈに基づいて同期信号タイミングを可変調整することにより手動で水平位置補正が可能に構成されている。
【００２５】
図２は切替器３００の要部構成を示しており、同図において切替器３００は、入力増幅回路３０１ｒ〜３０１ｖと、信号切替回路３０２ｒ〜３０２ｖと、出力増幅回路３０３ｒ〜３０３ｖと、水平位置調整回路３０４とを備えている。ここで、同図に示したように符号に付加した文字ｒ〜ｖは「ｒ，ｇ，ｂ，ｈ，ｖ」であり、色を表すＲＧＢ信号と水平同期信号Ｈおよび垂直同期信号Ｖに対応している。それぞれの信号は入力増幅回路３０１ｒ〜３０１ｖで増幅された後、信号切替回路３０２ｒ〜３０２ｖによって出力先が大画面表示装置４０１ａ，４０１ｂのいずれかに切り替えられる。
【００２６】
そして、出力増幅回路３０３ｒ〜３０３ｖにて適正レベルにまで増幅されて、出力先の大画面表示装置４０１ａあるいは４０１ｂに出力される。従って、大画面表示装置４０１ａ，４０１ｂでは、水平同期信号Ｈに基づいて水平ドライブを行い、垂直同期信号Ｖに基づいて垂直ドライブを行いつつＲＧＢ信号に基づいて映像を表示することができる。
【００２７】
ここで、水平同期信号Ｈの信号処理線において、入力増幅回路３０１ｈと信号切替回路３０２ｈとの間には水平位置調整回路３０４が介装されており、この水平位置調整回路３０４では入力する水平同期信号のタイミングを可変調整することが可能である。従って、切替器３００から出力される水平同期信号Ｈのタイミングが変化し、ひいては大画面表示装置４０１ａ，４０１ｂにおいて水平位置調整を行うことが可能になっている。
【００２８】
制御器５００は、切替器３００および大画面表示装置４０１ａ，４０１ｂを遠隔制御するための制御端末５０１と、この制御端末５０１からの制御信号を入力して指定の切替器３００および各大画面表示装置へ制御信号を出力するマルチプレクサ５０２とを備えている。
すなわち、利用者は制御端末５０１を操作することによって所望の端末本体２０１ａ〜２０１ｎを選択して、そのいずれかを所望の大画面表示装置４０１ａ，４０１ｂに出力させるように指示を出すことができる。
【００２９】
この結果、制御端末５０１から切替器３００に対して制御信号が出力され、信号切替回路３０２ｒ〜３０２ｖの制御により指定の入力映像信号が指定先の大画面表示装置に出力される。
【００３０】
さらに、制御端末５０１は所定の表示情報を大画面表示装置４０１ａ，４０１ｂのいずれかに指定することが可能になっている。そして、大画面表示装置４０１ａ，４０１ｂに格納された表示情報を呼び出して適正に表示を行わせることができる。
なお、制御信号や表示情報の出力はマルチプレクサ５０２を制御することによって適正なタイミングで行われるようになっている。
【００３１】
次に、本映像切替システム１００の動作例を説明する。
なお、大画面表示装置４０１ａ，４０１ｂにおいて、入力した各映像信号を適切な状態で表示するために、各端末部Ａ〜Ｇ毎に予め大画面表示装置４０１ａ，４０１ｂにおいて表示情報を事前にメモリ登録してあり、切替器３００において、各端末本体２０１ａ〜２０１ｎ固有の水平位置ずれを手動により固定で事前設定してある。
【００３２】
端末本体２０１ａ〜２０１ｎが駆動されると、利用者に対して何らかの情報を表示するために個々の端末本体２０１ａ〜２０１ｎから映像信号が出力される。この映像信号は各分配器２０３ａ〜２０３ｎに入力され、これらの各分配器２０３ａ〜２０３ｎによって二分配され、ディスプレイ２０２ａ〜２０２ｎおよび切替器３００へ出力される。このとき、各ディスプレイ２０２ａ〜２０２ｎにおいては通常通り入力信号に基づいた映像が表示される。もちろん、各ディスプレイ２０２ａ〜２０２ｎにて画質調整や表示領域調整を行うことは可能である。
【００３３】
各分配器２０３ａ〜２０３ｎから出力されたもう一方の映像信号は、切替器３００に入力している。すなわち、複数の端末本体からの映像信号が一つの切替器３００に入力している。利用者が大画面表示装置４０１ａ，４０１ｂにおいて所望の大画面表示装置に対して所望の端末本体からの映像を表示させるためには、制御器５００の制御端末５０１を操作する。
【００３４】
この操作においては、利用者は映像出力の元となる端末本体を指定し、出力先の大画面表示装置を指定する。この結果、制御端末５０１はマルチプレクサ５０２を介して映像出力元と出力先とを指定するための制御信号を出力する。切替器３００の信号切替回路３０２ｒ〜３０２ｖでは、この制御信号を受け取ると所定の出力先に所定出力元からの映像信号を出力させる。また、切替器３００内では、入力増幅回路３０１ｒ〜３０１ｖおよび出力増幅回路３０３ｒ〜３０３ｖによって所定の信号処理がなされている。従って、大画面表示装置４０１ａ，４０１ｂには利用者指定の信号が映像表示可能に入力されている。
【００３５】
ここで、大画面表示装置４０１ａ，４０１ｂにおいては当該大画面表示装置４０１ａ，４０１ｂに備えるメモリに格納されている表示情報を使用することができる。制御器５００から表示情報を呼び出す場合、切替器３００に対する映像の切替情報と各大画面表示装置４０１ａ，４０１ｂに対する映像の表示情報を、マルチプレクサ５０２経由でタイミングを考慮して出力する。
【００３６】
ここで、タイミングを考慮するのは、大画面表示装置４０１ａ，４０１ｂが切替器３００からの映像信号を入力するタイミングとマルチプレクサ５０２からの表示情報を入力するタイミングを合わせることにより、映像の切り替えによる表示の乱れを無くすためのものである。従って、適正な表示情報を使用して所望の端末本体の出力映像信号を任意の大画面表示装置において出力することができる。
【００３７】
このように、本発明においては、複数のコンピュータ端末からの映像信号を分配して切替器に対して出力し、切替器においてこれら複数の入力映像を切り替えて任意の大画面表示装置に対して出力する。このとき、切替器において映像信号中の水平同期信号に基づいて出力映像の水平領域を調整可能である。従って、分配器等に位置調整回路を設ける必要はなく、汎用的な分配器を使用することが可能であり、システム構成も簡単になる。
【００３８】
【発明の効果】
以上説明したように本発明によれば、簡易な構成によって実現可能であり汎用性の高い部品によって構成可能な映像切替システムを提供することことができる。
また、請求項２にかかる発明によれば、簡単に出力映像の水平位置を調整することができる。
さらに、請求項３にかかる発明によれば、簡単に映像の切替を行い、大画面表示装置にて適正な出力を行わせることができる。
【００３９】
さらに、請求項４にかかる発明によれば、大画面表示装置にて適正な出力を行うことができる。
【図面の簡単な説明】
【図１】本発明の実施形態の概略構成を示すブロック図である。
【図２】切替器の要部構成を示すブロック図である。
【図３】従来例の概略構成を示すブロック図である。
【図４】従来例の分配器の要部構成を示すブロック図である。
【符号の説明】
１００  映像切替システム
２００  入力装置部
２０１ａ〜２０１ｎ  端末本体
２０２ａ〜２０２ｎ  ディスプレイ
２０３ａ〜２０３ｎ  分配器
３００  切替器
３０１ｒ〜３０１ｖ  入力増幅回路
３０２ｒ〜３０２ｖ  信号切替回路
３０３ｒ〜３０３ｖ  出力増幅回路
３０４  水平位置調整回路
４００  大画面表示装置部
４０１ａ，４０１ｂ  大画面表示装置
５００  制御器
５０１  制御端末
５０２  マルチプレクサ
【図１】
0003539321.tif 000002
【図２】
0003539321.tif 000003
【図３】
0003539321.tif 000004
【図４】
0003539321.tif 000005